(57)【要約】【課題】薄型化できるとともに良好な意匠性が得られる照明器具を提供する。【解決手段】  照明器具１０は、天井面１１に取付可能な器具本体１２と、器具本体１２の側面から天井面１１に対して平行に突出し、かつ、互いに平行な長尺アーム１４および短尺アーム１６と、長尺アーム１４の先端１４Ａに支持され、面状発光面３２を有する長尺灯具１８と、および短尺アーム１６の先端１６Ａに支持され、面状発光面３２を有する短尺灯具１９とを備えている。【選択図】図１
2011216290.tif 000002
【特許請求の範囲】
【請求項１】
天井面に取付可能な器具本体と、
前記器具本体の側面から前記天井面に対して平行に突出し、かつ、互いに平行な長尺アームおよび短尺アームと、
前記長尺アームの先端および前記短尺アームの先端に支持され、面状発光面を有する灯具と、
を備える照明器具。
【請求項２】
請求項１に記載の照明器具において、
前記長尺アームおよび前記短尺アームのうちの一方が複数であるとともに、前記長尺アームおよび前記短尺アームが隣り合っている照明器具。
【発明の詳細な説明】
【技術分野】
【０００１】
本発明は、天井面に複数の灯具を支持部材で支えた照明器具に関するものである。
【背景技術】
【０００２】
照明器具のなかには、複数の灯具を支持アームや支持フレームで支えることにより室内の照明を好みに合わせて良好に確保するシャンデリアと称されるものが知られている。このシャンデリアと称される照明器具は、従来より白熱灯が用いられている（例えば、特許文献１〜４参照）。
【先行技術文献】
【特許文献】
【０００３】
【特許文献１】特開２００１−３３８５１９号公報
【特許文献２】特開２００５−７８８４５号公報
【特許文献３】実開平２−９９５１０号公報
【特許文献４】実開平３−６９８０７号公報
【発明の概要】
【発明が解決しようとする課題】
【０００４】
しかし、近年はコンパクト・省エネの新光源としてＬＥＤが照明器具でも使用されはじめているが、光源自体は全般拡散光ではない。また、照射面の照度を確保するため光源にレンズを付けて光の広がりを絞っているが、光源やレンズを覆うセードを半透過性のガラスやアクリルにしたとしても、セード面に光が当りにくく、器具全体が暗くなることが多い。
【０００５】
本発明は、前述した課題を解決するためになされたものであり、その目的は、器具外観全体の明るさを確保できる照明器具を提供することにある。
【課題を解決するための手段】
【０００６】
本発明は、天井面に取付可能な器具本体と、器具本体の側面から天井面に対して平行に突出し、かつ、互いに平行な長尺アームおよび短尺アームと、長尺アームの先端および短尺アームの先端に支持され、面状発光面を有する灯具と、を備える。
【０００７】
また、本発明は、長尺アームおよび短尺アームのうちの一方が複数であるとともに、長尺アームおよび短尺アームが隣り合っている。
【発明の効果】
【０００８】
本発明の照明器具によれば、長さの異なる２種類のアームとすることで、長尺アームの灯具によるより広い空間の照射が可能となる。また、短尺アームの灯具によって、器具本体及び短尺アーム周辺も明るくなり、器具外観全体の明るさを確保できるという効果を有する。
【図面の簡単な説明】
【０００９】
【図１】本発明に係る第１実施形態の照明器具を下方から見た状態を示す平面図
【図２】図１の照明器具を示す側面図
【図３】第１実施形態の器具本体を示す分解斜視図
【図４】図３の器具本体を示す分解斜視図
【図５】図３の器具本体を一部断面の状態で示す平面図
【図６】図５の器具本体を一部断面の状態で示す側面図
【図７】第１実施形態の長尺灯具を示す断面図
【図８】本発明に係る第２実施形態の照明器具を下方から見た状態を示す平面図
【図９】図８の照明器具を示す側面図
【図１０】第２実施形態の器具本体を一部断面の状態で示す平面図
【図１１】図１０の器具本体を一部断面の状態で示す側面図
【発明を実施するための形態】
【００１０】
以下、本発明の複数の実施の形態に係る照明器具１０について図面を参照して説明する。
【００１１】
（第１実施形態）
図１、図２に示すように、本発明の第１実施形態である照明器具１０は、天井面１１に取付可能な器具本体１２と、器具本体１２の側面から天井面１１に対して平行に突出された長尺アーム１４および短尺アーム１６と、長尺アーム１４の先端１４Ａに支持された長尺灯具（灯具）１８と、短尺アーム１６の先端１６Ａに支持された短尺灯具（灯具）１９とを備えている。
この照明器具１０は、図２の破線で示すように、平面視で長尺灯具１８を頂部とする菱形状に形成されている。
【００１２】
図３、図４に示すように、器具本体１２は、天井面１１に取付可能なフランジ２２と、フランジ２２に取付可能なカバー２４と、カバー２４に取付可能な第１本体２５と、第１本体２５内に収納された点灯ブロック２６と、第１本体２５の下部に取付可能な第２本体２７とを有する。
第１本体２５および第２本体２７は、各々平面多角形（具体的には、四角形）の箱状に形成され、かつ、上下方向に互いに積層されている。
【００１３】
第１本体２５は、第１平面辺（平面辺）２５Ａで略矩形の箱状に形成されて天井面１１側に配置され、第１平面辺２５Ａが長さＬ１に形成されている。
また、第２本体２７は、第２平面辺（平面辺）２７Ａで略矩形の箱状に形成されて第１本体２５の下側に配置され、第２平面辺が長さＬ２に形成されている。
そして、第１平面辺２５Ａの長さＬ１が第２平面辺２７Ａの長さＬ２よりも長く形成されている。
【００１４】
図５、図６に示すように、第１本体２５に複数（二本）の短尺アーム１６が取り付けられ、第２本体２７に一本の長尺アーム１４が取り付けられている。
長尺アーム１４は、第２本体２７に備えた側面２７Ｂの取付位置２７Ｃから天井面１１に対して平行に一本突出され、かつ、短尺アーム１６に平行に配置されている。
長尺アーム１４を第２本体２７の側面２７Ｂ（図４参照）に取り付けることで、長尺アーム１４が天井面１１に対して距離Ｈ１（図２参照）になるように比較的離れて配置されている。
【００１５】
短尺アーム１６は、第１本体２５に備えた側面２５Ｂの取付位置２５Ｃから天井面１１に対して平行に複数本（具体的には、二本）突出され、かつ、長尺アーム１４の上側において長尺アーム１４と平行に配置されている。
短尺アーム１６を第１本体２５の側面２５Ｂに取り付けることで、短尺アーム１６が天井面１１に対して距離Ｈ２（図２参照）に近づいて配置されている。
【００１６】
すなわち、長尺アーム１４および短尺アーム１６は、天井面１１に対して異なる取付位置２７Ｃ，２５Ｃに取り付けられ、かつ、互いに平行に配置されている。
具体的には、図２に示すように、短尺アーム１６が天井面１１側に設けられて、長尺アーム１４の上側に配置されている。
【００１７】
また、長尺アーム１４を第２本体２７の取付位置２７Ｃから天井面１１に対して平行に一本突出させ、短尺アーム１６を第１本体２５の取付位置２５Ｃから天井面１１に対して平行に複数本（具体的には、二本）突出させた。
これにより、長尺アーム１４および短尺アーム１６が隣り合うように交互に配置されている。
【００１８】
図７に示すように、長尺灯具１８は、各長尺アーム１４の先端１４Ａに支持され、内部に収納されたＬＥＤブロック２８と、ＬＥＤブロック２８を覆う透明アクリル製の保護カバー３１と、保護カバー３１を覆う面状発光面３２とを有している。
長尺灯具１８によれば、ＬＥＤブロック２８のＬＥＤ２８Ａから投光された光が透明アクリル製の保護カバー３１を透過し、透過した光を面状発光面３２で発光する。
短尺灯具１９は、長尺灯具１８と同じ構成であり詳しい説明を省略する。
【００１９】
ここで、図２に示すように、短尺アーム１６が天井面１１側に設けられ、長尺アーム１４の上側に配置されている。
よって、短尺アーム１６の短尺灯具１９は、器具本体１２に近い位置に配置され、かつ、長尺アーム１４の上側に配置されている。
また、長尺アーム１４の短尺灯具１９は、器具本体１２から離れた位置に配置され、かつ、器具本体１２から離れた位置に配置されている。
さらに、長尺アーム１４および短尺アーム１６が隣り合うように交互に配置されているので、短尺アーム１６の短尺灯具１９が長尺アーム１４に隣接されている。
【００２０】
以上、説明した本発明の第１実施形態に係る照明器具１０によれば、短尺アーム１６の先端１６Ａに短尺灯具１９を備えることにより、短尺灯具１９で器具本体１２の真下面（すなわち、真下空間）３５の中心を照射できる。
さらに、長尺アーム１４の先端１４Ａに長尺灯具１８を備えることにより、長尺灯具１８でより広範囲に光をまわす（到達させる）ことができる。
すなわち、器具本体１２の真下面（すなわち、真下空間）３５の中心を照射する短尺灯具１９と、より広範囲に光をまわす長尺灯具１８とが効率的に配置できるので、薄型化できるとともに良好な意匠性が得られる。
【００２１】
また、長尺アーム１４の取付位置２７Ｃおよび短尺アーム１６の取付位置２５Ｃを天井面１１に対して異ならせた。そして、長尺アーム１４の先端１４Ａに長尺灯具１８を取り付け、短尺アーム１６の先端１６Ａに短尺灯具１９を取り付けた。
よって、長尺灯具１８および短尺灯具１９を天井面１１に対して異ならせることができる。
これにより、長尺灯具１８および短尺灯具１９で天井面１１を照射する光と真下面（すなわち、真下空間）３５を照射する光とを効率よく得ることができるので、薄型化できるとともに良好な意匠性が得られる。
【００２２】
具体的には、長尺アーム１４の取付位置２７Ｃを天井面１１に対して距離Ｈ１だけ比較的大きく離して配置することにより、長尺灯具１８で真下面（すなわち、真下空間）３５を照射する光を効率よく得ることができる。
一方、短尺アーム１６の取付位置２５Ｃを天井面１１に対して距離Ｈ２に比較的近づけて配置することにより、短尺灯具１９で天井面１１を照射する光を効率よく得ることができる。
【００２３】
さらに、器具本体１２に箱状の第１本体２５および第２本体２７を備え、第１本体２５に短尺アーム１６を取り付け、第２本体２７に長尺アーム１４を取り付けた。
このように、長尺アーム１４および短尺アーム１６を異なる箱状体（第１本体２５および第２本体２７）に分けて（分散させて）取り付けることにより、器具本体１２の強度を好適に確保できる。
【００２４】
加えて、第１本体２５の第１平面辺２５Ａを第２本体２７の第２平面辺２７Ａより長く設定し、第１本体２５を天井面１１側に配置し、かつ、第２本体２７を第１本体２５の下側に配置した。
このように、第１平面辺２５Ａが長い第１本体２５の下側に第２平面辺２７Ａが短い第２本体２７を配置することにより、照明器具１０の外観を一層すっきりさせることができる。
なお、第１本体２５の平面辺２５Ａの長さＬ１を長くすることで、第１本体２５に点灯ブロック２６を内蔵する空間を確保できる。
【００２５】
さらに、長尺アーム１４を第２本体２７から天井面１１に対して平行に一本突出させ、短尺アーム１６を第１本体２５から天井面１１に対して平行に複数本（具体的には、二本）突出させて、長尺アーム１４および短尺アーム１６を隣り合うように交互に配置させた。
よって、短尺アーム１６の短尺灯具１９を長尺アーム１４に隣接させて配置できる。これにより、短尺灯具１９で長尺アーム１４を煌めかせる（きらめかせる）ことができる。
【００２６】
次に、第２実施形態の照明器具を図８〜図１１に基づいて説明する。なお、第２実施形態において第１実施形態の照明器具１０と同一・類似部材については同じ符号を付して説明を省略する。
【００２７】
（第２実施形態）
図８〜図１１に示すように、本発明の第２実施形態である照明器具４０は、第２本体２７に複数（二本）の長尺アーム１４を取り付けたもので、その他の構成は第１実施形態と同様である。
長尺アーム１４および短尺アーム１６を異なる箱状体（第１本体２５および第２本体２７）に分けて（分散させて）取り付けることにより器具本体１２の強度を好適に確保できる。
これにより、第２本体２７に複数（二本）の長尺アーム１４を取り付けることが可能になる。
【００２８】
このように、第２本体２７に複数（二本）の長尺アーム１４を取り付けた照明器具４０を用意することで、用途の拡大を図ることができる。
加えて、第２実施形態である照明器具４０によれば、第１実施形態である照明器具１０と同様の効果を得ることができる。
【００２９】
なお、本発明に係る照明器具１０は、前述した第１実施形態および第２実施形態に限定されるものではなく適宜変更、改良などが可能である。
例えば、第１実施形態および第２実施形態では、第１本体２５を天井面１１側に配置し、第１本体２５の下部に第２本体２７を取り付けた例について説明したが、これに限らないで、第２本体２７を天井面１１側に配置し、第２本体２７の下部に第１本体２５を取り付けることも可能である。
【００３０】
また、第１実施形態および第２実施形態で使用した照明器具１０，４０、天井面１１、器具本体１２、長尺アーム１４、短尺アーム１６、長尺灯具１８、短尺灯具１９および面状発光面３２などの形状や構成は例示したものに限定するものではなく適宜変更が可能である。
【符号の説明】
【００３１】
１０，４０  照明器具
１１  天井面
１２  器具本体
１４  長尺アーム
１４Ａ  長尺アームの先端
１６  短尺アーム
１６Ａ  短尺アームの先端
１８  長尺灯具（灯具）
１９  短尺灯具（灯具）
３２  面状発光面
【図１】
2011216290.tif 000003
【図２】
2011216290.tif 000004
【図３】
2011216290.tif 000005
【図４】
2011216290.tif 000006
【図５】
2011216290.tif 000007
【図６】
2011216290.tif 000008
【図７】
2011216290.tif 000009
【図８】
2011216290.tif 000010
【図９】
2011216290.tif 000011
【図１０】
2011216290.tif 000012
【図１１】
2011216290.tif 000013